(57)【要約】【課題】  本発明は、外字データが記憶された外字管理データベースを用いて外字データを検索する外字検索システム及び外字検索方法に関する。【解決手段】  外字コード（４桁）、部首、画数、読み、書体、類似漢字、旧変字体、製品名、特殊外字、イメージデータ、記号及び備考のいずれか又はそれらの組合せである属性情報が付加された外字データを有する外字管理データベースが記憶された記憶手段と、外字データを検索するための外字コード（４桁）、部首、画数、読み、書体、類似漢字、旧変字体、製品名、特殊外字、イメージデータ、記号及び備考のいずれか又はそれらの組合せである検索条件データを入力設定する検索条件設定手段と、前記検索条件データに基づき、前記外字管理データベースから検索結果データを取得する検索手段と、前記検索結果データを表示する検索結果表示手段から成ることを特徴とする外字検索システムである。【選択図】  図３
2010165302.tif 000002
【特許請求の範囲】
【請求項１】
外字データを検索する外字検索システムにおいて、
外字コード、部首、画数、読み、書体、類似漢字、旧変字体、製品名、特殊外字、イメージデータ、記号及び備考のいずれか又はそれらの組合せである属性情報が付加された外字データを有する外字管理データベースが記憶された記憶手段と、
外字データを検索するための外字コード、部首、画数、読み、書体、類似漢字、旧変字体、製品名、特殊外字、イメージデータ、記号及び備考のいずれか又はそれらの組合せである検索条件データを入力設定する検索条件設定手段と、
前記検索条件データに基づき、前記外字管理データベースから検索結果データを取得する検索手段と、
前記検索結果データを表示する検索結果表示手段から成ることを特徴とする外字検索システム。
【請求項２】
ネットワークを介して外字データを検索する外字検索システムにおいて、
作業端末から送信される検索条件データを受信する検索条件受信手段と、
外字コード、部首、画数、読み、書体、類似漢字、旧変字体、製品名、特殊外字、イメージデータ、記号及び備考のいずれか又はそれらの組合せである属性情報が付加された外字データを有する外字管理データベースが記憶された記憶手段と、
前記受信された検索条件データに基づき、前記外字管理データベースから検索結果データを取得する検索手段と、
前記検索結果データを前記作業端末に送信する検索結果送信手段を有する外字管理サーバと、
外字データを検索するための外字コード、部首、画数、読み、書体、類似漢字、旧変字体、製品名、特殊外字、イメージデータ、記号及び備考のいずれか又はそれらの組合せである検索条件データを入力設定する検索条件設定手段と、
前記検索条件設定手段によって得られた前記検索条件データを送信する検索条件送信手段と、
前記検索条件データに基づき、前記外字管理サーバから得られた検索結果データを受信する検索結果受信手段と、
前記受信された前記検索結果データを表示する検索結果表示手段を有する作業端末から成ることを特徴とする外字検索システム。
【請求項３】
前記検索条件設定手段は、外字コード、部首、画数、読み、書体、類似漢字、旧変字体、製品名、特殊外字、イメージデータ、記号及び備考のいずれか又はそれらの組合せで行うことが可能な絞込検索手段を更に備えて成ることを特徴とする請求項１又は２記載の外字検索システム。
【請求項４】
前記検索結果表示手段は、検索された結果がリスト表示画面に表示され、前記リスト表示画面に表示された個々の外字コード、部首、画数、読み、書体、類似漢字、旧変字体、製品名、特殊外字、イメージデータ、記号及び備考のいずれか又はそれらの組合せが表示されることを特徴とする請求項１乃至３いずれか１項記載の外字検索システム。
【請求項５】
前記検索結果表示手段に表示された前記検索結果データのイメージデータを選択することで所定の文書に所定の外字データが入力されることを特徴とする請求項１乃至４いずれか１項記載の外字検索システム。
【請求項６】
検索条件設定手段、記憶手段、検索手段及び検索結果表示手段から成る外字検索システムによって外字データを検索する外字検索方法において、
前記検索条件設定手段によって外字コード、部首、画数、読み、書体、類似漢字、旧変字体、製品名、特殊外字、イメージデータ、記号及び備考のいずれか又はそれらの組合せである外字データを検索するための検索条件データを入力設定し、
前記入力設定された検索条件データに基づき、前記記憶手段に記憶された外字コード、部首、画数、読み、書体、類似漢字、旧変字体、製品名、特殊外字、イメージデータ、記号及び備考のいずれか又はそれらの組合せである属性情報が付加された外字データが入力された外字管理データベースから前記検索手段によって検索結果データを取得し、
前記取得した前記検索結果データを前記検索結果表示手段で表示することを特徴とする外字検索方法。
【請求項７】
検索条件設定手段、検索条件送信手段、検索結果受信手段及び検索結果表示手段を有する作業端末と、検索条件受信手段、記憶手段、検索手段及び検索結果送信手段を有する外字管理サーバから成る外字検索システムによって外字データを検索する外字検索方法において、
前記作業端末に設けられた前記検索条件設定手段によって外字コード、部首、画数、読み、書体、類似漢字、旧変字体、製品名、特殊外字、イメージデータ、記号及び備考のいずれか又はそれらの組合せである外字データを検索するための検索条件データを入力設定し、
前記入力設定された検索条件データを前記検索条件送信手段によって外字管理サーバに送信し、前記送信される検索条件データを前記検索条件受信手段によって外字管理サーバが受信し、
前記外字管理サーバは前記受信された検索条件データに基づき、前記記憶手段に記憶された外字コード、部首、画数、読み、書体、類似漢字、旧変字体、製品名、特殊外字、イメージデータ、記号及び備考のいずれか又はそれらの組合せである属性情報が付加された外字データが入力された外字管理データベースから前記検索手段によって検索結果データを取得し、
前記取得した前記検索結果データは、前記検索結果送信手段によって前記作業端末に送信し、前記送信された前記検索結果データは、前記作業端末の前記検索結果受信手段によって受信し、
前記受信された前記検索結果データは、前記作業端末の前記検索結果表示手段で表示することを特徴とする外字検索方法。
【請求項８】
前記検索条件設定手段は、外字コード、部首、画数、読み、書体、類似漢字、旧変字体、製品名、特殊外字、イメージデータ、記号及び備考のいずれか又はそれらの組合せで行うことが可能な絞込検索手段を更に備えて成ることを特徴とする請求項６又は７記載の外字検索方法。
【請求項９】
前記検索結果表示手段は、検索された結果がリスト表示画面に表示され、前記リスト表示画面に表示された個々の外字データの外字コード、部首、画数、読み、書体、類似漢字、旧変字体、製品名、特殊外字、イメージデータ、記号及び備考のいずれか又はそれらの組合せが表示されることを特徴とする請求項６乃至８いずれか１項記載の外字検索方法。
【請求項１０】
前記検索結果表示手段に表示された前記検索結果データのイメージデータを選択することで所定の文書に所定の外字データが入力されることを特徴とする請求項６乃至９いずれか１項記載の外字検索方法。
【発明の詳細な説明】
【技術分野】
【０００１】
本発明は、外字データが記憶された外字管理データベースを用いて外字データを検索する外字検索システム及び外字検索方法に関する。
【背景技術】
【０００２】
外字とは、コンピュータのオペレーションシステムやアプリケーションにあらかじめ登録されていない文字、記号等のことである。外字は漢字の異字体、特殊記号等を有し、ＪＩＳコード等に含まれていないものをいう。一般的に外字は、外字作成用のソフトウェアを用いて外字を作成し、コンピュータに登録して使用することができる。
【０００３】
官報、住民票等の申請書類等は、一般的な文書に比べて、文書自体の特性から外字データが使われる頻度が高く、作業者が台帳で外字コードを調べてテキストデータを手入力し、外字データをテキストデータ文書内に入力する手法が一般的であった。
【０００４】
つまり、作業者は外字データを処理する際、ＰＤＦ等にデータ化された外字台帳の中の部首一覧から所望の外字の部首を目視等で探し出し、その部首にリンクされた外字データ一覧を開く。次に、外字一覧の中から所望の外字を目視で探し出し、その外字の外字コードを得る。最後に、キーボードからテキストデータへ外字コードを入力する。
【０００５】
よって、外字台帳で所望の外字データを調査する際に膨大な時間を要する問題や、外字コードをキーボードで入力する際に入力ミスをするおそれがあった。
【０００６】
例えば、外字コードと内部表示コードの対応表であるコードバッファを付加した装置が開示されている。このコードバッファは、比較的小容量の高速メモリで構成される。本装置は、外部から外字コードを受信するとコードバッファを検索し、必要とする外字コードが存在しないことが確認されると、外字コードバッファを参照し、得られる外字コード及びそれに対応する内部表示コードをそれぞれのバッファへ収納し、次回以降、この外字コードバッファ及び内部表示コードバッファを参照することによって外字検索を行う。この方式を採用することにより外字検索に要する時間の短縮を図ることができる（例えば、特許文献１参照）。
【先行技術文献】
【特許文献】
【０００７】
【特許文献１】特開昭６０−７３７３２号公報
【発明の概要】
【発明が解決しようとする課題】
【０００８】
しかしながら、特許文献１は外字検索に要する時間を短縮する技術であり、外字データを検索できる検索条件については記載されておらず、所望の外字データを調査する際に膨大な時間が必要となる問題があった。
【０００９】
本発明は、上記課題の解決を目的とするものであり、外字コードの入力ミスがなく、所望の外字データを容易に検索可能な外字検索システム及び外字検索方法を提案することを目的とする。
【課題を解決するための手段】
【００１０】
本発明は、外字データを検索する外字検索システムにおいて、外字コード、部首、画数、読み、書体、類似漢字、旧変字体、製品名、特殊外字、イメージデータ、記号及び備考のいずれか又はそれらの組合せである属性情報が付加された外字データを有する外字管理データベースが記憶された記憶手段と、外字データを検索するための外字コード、部首、画数、読み、書体、類似漢字、旧変字体、製品名、特殊外字、イメージデータ、記号及び備考のいずれか又はそれらの組合せである検索条件データを入力設定する検索条件設定手段と、前記検索条件データに基づき、前記外字管理データベースから検索結果データを取得する検索手段と、前記検索結果データを表示する検索結果表示手段から成ることを特徴とする外字検索システムである。
【００１１】
また、本発明は、ネットワークを介して外字データを検索する外字検索システムにおいて、作業端末から送信される検索条件データを受信する検索条件受信手段と、外字コード、部首、画数、読み、書体、類似漢字、旧変字体、製品名、特殊外字、イメージデータ、記号及び備考のいずれか又はそれらの組合せである属性情報が付加された外字データを有する外字管理データベースが記憶された記憶手段と、前記受信された検索条件データに基づき、前記外字管理データベースから検索結果データを取得する検索手段と、前記検索結果データを前記作業端末に送信する検索結果送信手段を有する外字管理サーバと、外字データを検索するための外字コード、部首、画数、読み、書体、類似漢字、旧変字体、製品名、特殊外字、イメージデータ、記号及び備考のいずれか又はそれらの組合せである検索条件データを入力設定する検索条件設定手段と、前記検索条件設定手段によって得られた前記検索条件データを送信する検索条件送信手段と、前記検索条件データに基づき、前記外字管理サーバから得られた検索結果データを受信する検索結果受信手段と、前記受信された前記検索結果データを表示する検索結果表示手段を有する作業端末から成ることを特徴とする外字検索システムである。
【００１２】
また、本発明の前記検索条件設定手段は、外字コード、部首、画数、読み、書体、類似漢字、旧変字体、製品名、特殊外字、イメージデータ、記号及び備考のいずれか又はそれらの組合せで行うことが可能な絞込検索手段を更に備えて成ることを特徴とする外字検索システムである。
【００１３】
また、本発明の前記検索結果表示手段は、検索された結果がリスト表示画面に表示され、前記リスト表示画面に表示された個々の外字コード、部首、画数、読み、書体、類似漢字、旧変字体、製品名、特殊外字、イメージデータ、記号及び備考のいずれか又はそれらの組合せが表示されることを特徴とする外字検索システムである。
【００１４】
また、本発明は、前記検索結果表示手段に表示された前記検索結果データのイメージデータを選択することで所定の文書に所定の外字データが入力されることを特徴とする外字検索システムである。
【００１５】
また、本発明は、検索条件設定手段、記憶手段、検索手段及び検索結果表示手段から成る外字検索システムによって外字データを検索する外字検索方法において、前記検索条件設定手段によって外字コード、部首、画数、読み、書体、類似漢字、旧変字体、製品名、特殊外字、イメージデータ、記号及び備考のいずれか又はそれらの組合せである外字データを検索するための検索条件データを入力設定し、前記入力設定された検索条件データに基づき、前記記憶手段に記憶された外字コード、部首、画数、読み、書体、類似漢字、旧変字体、製品名、特殊外字、イメージデータ、記号及び備考のいずれか又はそれらの組合せである属性情報が付加された外字データが入力された外字管理データベースから前記検索手段によって検索結果データを取得し、前記取得した前記検索結果データを前記検索結果表示手段で表示することを特徴とする外字検索方法である。
【００１６】
また、本発明は、検索条件設定手段、検索条件送信手段、検索結果受信手段及び検索結果表示手段を有する作業端末と、検索条件受信手段、記憶手段、検索手段及び検索結果送信手段を有する外字管理サーバから成る外字検索システムによって外字データを検索する外字検索方法において、前記作業端末に設けられた前記検索条件設定手段によって外字コード、部首、画数、読み、書体、類似漢字、旧変字体、製品名、特殊外字、イメージデータ、記号及び備考のいずれか又はそれらの組合せである外字データを検索するための検索条件データを入力設定し、前記入力設定された検索条件データを前記検索条件送信手段によって外字管理サーバに送信し、前記送信される検索条件データを前記検索条件受信手段によって外字管理サーバが受信し、前記外字管理サーバは前記受信された検索条件データに基づき、前記記憶手段に記憶された外字コード、部首、画数、読み、書体、類似漢字、旧変字体、製品名、特殊外字、イメージデータ、記号及び備考のいずれか又はそれらの組合せである属性情報が付加された外字データが入力された外字管理データベースから前記検索手段によって検索結果データを取得し、前記取得した前記検索結果データは、前記検索結果送信手段によって前記作業端末に送信し、前記送信された前記検索結果データは、前記作業端末の前記検索結果受信手段によって受信し、前記受信された前記検索結果データは、前記作業端末の前記検索結果表示手段で表示することを特徴とする外字検索方法である。
【００１７】
また、本発明の前記検索条件設定手段は、外字コード、部首、画数、読み、書体、類似漢字、旧変字体、製品名、特殊外字、イメージデータ、記号及び備考のいずれか又はそれらの組合せで行うことが可能な絞込検索手段を更に備えて成ることを特徴とする外字検索方法である。
【００１８】
また、本発明の前記検索結果表示手段は、検索された結果がリスト表示画面に表示され、前記リスト表示画面に表示された個々の外字データの外字コード、部首、画数、読み、書体、類似漢字、旧変字体、製品名、特殊外字、イメージデータ、記号及び備考のいずれか又はそれらの組合せが表示されることを特徴とする外字検索方法である。
【００１９】
また、本発明は、前記検索結果表示手段に表示された前記検索結果データのイメージデータを選択することで所定の文書に所定の外字データが入力されることを特徴とする外字検索方法である。
【発明の効果】
【００２０】
本発明の外字検索システム及び外字検索方法は、所望の外字データを容易に検索することが可能となるとともに、外字コードが自動入力されるため、外字コードの誤入力を防ぐことができる。また、検索機能として、複数の検索条件を切り替えながら、候補外字を絞り込む機能を有し、作業者の外字検索作業の負荷軽減を図ることができる。さらに、外字データは製品名別の属性情報を有しているため、以前ある製品に使用された外字検索、外字管理が可能となり、容易に所望の外字データを検索することができる。
【図面の簡単な説明】
【００２１】
【図１】本発明のスタンドアローン型外字検索システム１Ａを示す図である。
【図２】本発明の属性情報７が付加された外字データ８が構築された外字管理データベース６を示す図である。
【図３】検索条件データを入力設定する入力画面９の検索条件設定画面１０及び絞込条件設定画面１１並びに検索結果データを表示するリスト表示画面１２の一例である。
【図４】検索結果データを表示するリスト表示画面１２の他の形態を示す図である。
【図５】検索結果データを表示するリスト表示画面１２の部首検索画面の一例である。
【図６】検索結果データを表示するリスト表示画面１２の記号検索画面の一例である。
【図７】本発明のネットワークを介して外字データを検索する外字検索システム１Ｂを示す図である。
【図８】本発明の外字検索システム１Ｂの外字管理サーバ１Ｂ’及び作業端末１Ｂ”のブロック図を示す図である。
【図９】本発明の外字検索システム１Ａを用いた外字データを検索する外字検索方法のフローチャートを示す図である。
【図１０】本発明の外字検索システム１Ｂを用いた外字データを検索する外字検索方法のフローチャートを示す図である。
【発明を実施するための形態】
【００２２】
本発明を実施するための最良の形態について、図面を用いて説明する。しかしながら、本発明は以下に述べる実施するための最良の形態に限定されるものではなく、特許請求の範囲に記載されている技術の範疇であれば、その他いろいろな実施の形態が含まれる。
【００２３】
図１は、本発明のスタンドアローン型外字検索システム１Ａである。図２は、属性情報７が付加された外字データ８が構築された外字管理データベース６を示す図である。図３は検索条件データを入力設定する入力画面９の検索条件設定画面１０及び絞込条件設定画面１１並びに検索結果データを表示するリスト表示画面１２の一例である。図４は検索結果データを表示するリスト表示画面１２の他の形態を示す図である。図５は、部首検索画面の一例である。図６は、記号検索画面の一例である。図７は、本発明のネットワークを介して外字データを検索する外字検索システム１Ｂを示す図である。図８は本発明の外字検索システム１Ｂの外字管理サーバ１Ｂ’外字管理サーバ１Ｂ’及び作業端末１Ｂ”のブロック図を示す図である。図９は本発明の外字検索システム１Ａを用いた外字データを検索する外字検索方法のフローチャートを示す図である。図１０は本発明の外字検索システム１Ｂを用いた外字データを検索する外字検索方法のフローチャートを示す図である。
【００２４】
下記に示す外字検索システム及び外字検索方法は、編集作業者が文書等のテキストデータ入力編集作業において、外字データを処理する時に使用するものである。
【００２５】
（外字検索システム１Ａ）
図１に示す外字検索システム１Ａは、スタンドアローン型外字検索システム１Ａである。スタンドアローン型外字検索システム１Ａは、記憶手段２、検索条件設定手段３と、検索手段４及び検索結果表示手段５を有する。ここでの、スタンドアローン型とは、一般的なパーソナルコンピュータも含むものである。
【００２６】
記憶手段２は、属性情報７が付加された外字データ８を有する外字管理データベース６が記憶されている。記憶手段２は、ハードディスク、フィレキシブルディスク、ＭＯ及びＵＳＢ等、特に限定されるものではない。図２に属性情報７が付加された外字データ８が構築された外字管理データベース６を示す。図２に示すように属性情報７は、外字コード（４桁）、部首、画数、読み、書体、類似漢字、旧変字体、製品名、特殊外字、イメージデータ、記号及び備考のいずれか又はそれらの組合せであり、この属性情報７に基づき検索が可能となる。外字コード、部首、画数、読み、書体、類似漢字、旧変字体、使用製品名、特殊外字、記号及び備考はテキストデータであり、イメージデータは、ＧＩＦ等のイメージデータで保存されている。イメージデータとテキストデータは同一のデータベース又は異なるデータベースによって関連付けられて保存されている。なお、外字管理データベース６は、Excelファイル、Accessファイル等、特に限定されるものではない。
【００２７】
検索条件設定手段３は、編集作業者が外字データを検索するための検索条件データを入力設定する。入力設定は、ポインティングデバイス操作で動作するようにコマンドボタン等を配置したＧＵＩの画面デザインとすることで、検索条件設定を容易に実行可能とし、併せて誤入力を防ぐ効果を有している。入力設定される入力画面９の検索条件設定画面１０の一例を図３に示す。入力設定は、ポインティングデバイスで行われる（ただし、キーボードでの入力も可能である。）。図３に示すように入力画面９の検索条件設定画面１０には、基本検索機能として部首検索、画数検索、読み検索、入力検索、特殊外字検索、記号検索が設けられ、ポインティングデバイスをクリックすることで検索することができる。例えば、部首から検索する場合は、「部首検索」ボタンをクリックすると、部首の一覧がリスト表示されるので、そのリスト中から、所望の外字の部首を指定する。
【００２８】
部首検索とは、外字データの部首による検索であり、図３に示す検索条件設定画面１０の部首検索をポインティングデバイスで選択すると、図５に示すように検索結果リスト表示欄１２ａに部首の一覧が表示され、表示された部首を選択すると、その部首の外字の一覧が検索結果リスト表示欄１２ａに表示される。
【００２９】
画数検索とは、外字データの画数による検索であり、検索条件設定画面１０の画数検索をポインティングデバイスで選択すると、検索結果リスト表示欄１２ａに画数の一覧（漢数字）が表示され、表示された画数を選択すると、その画数の外字の一覧が検索結果リスト表示欄１２ａに表示される。
【００３０】
読み検索とは、外字データの読みによる検索であり、検索条件設定画面１０の読み検索をポインティングデバイスで選択すると、検索結果リスト表示欄１２ａに読みの一覧（ひらがな）が表示され、表示された読みを選択すると、その読みで始まる外字の一覧が検索結果リスト表示欄１２ａに表示される。
【００３１】
入力検索とは、検索条件設定画面１０の読み検索をポインティングデバイスで選択し、絞込条件設定画面１１の外字コード、書体、部首、画数、読み、類似漢字、旧変字体、製品名のいずれかをポインティングデバイスで選択し、入力欄にキーワードを入力すると、対象の外字の一覧が検索結果リスト表示欄１２ａに表示される。外字コード（４桁）とは、外字データに付与されたコード情報のことである。書体とは、明朝やゴシック等の文字の書体の検索である。類似漢字とは、外字データに良く似た外字データの検索である。旧変字体とは、漢字の旧字体や変字体の漢字等の検索である。製品名とは、作業を行う上でよく使われる製品名の検索である。イメージデータとは、挿入する外字を見た目で判断できるようにしたものである。
【００３２】
特殊外字検索とは、外字データの中でも特殊な外字データを検索するものであり、検索条件設定画面１０の特殊外字検索をポインティングデバイスで選択すると、検索結果リスト表示欄１２ａに特殊な外字が表示される。
【００３３】
記号検索とは、外字データの中でも記号の外字データを検索するものであり、検索条件設定画面１０の記号検索をポインティングデバイスで選択すると、検索条件設定画面１０に、記号の分類の一覧が表示され、表示された分類を選択すると、その分類の外字の一覧が検索結果リスト表示欄１２ａに表示される。図６に記号検索画面の一例を示す。
【００３４】
さらに、検索条件設定手段３の入力画面９は一時保存機能、計数機能を有している。図３に示すように一時保存機能１７は、検索して得られた所望の外字データの属性情報と画像データを記憶手段に一時的に保存することができる。一時保存機能１７は、作業対象の所定の文書内（テキストデータ）で同一の外字データが複数箇所で使われる場合に、外字コードの入力を省力化するために使用する。一時保存機能の文字数は特に限定されるものではない。計数機能は、各外字データの使用回数を記録・集計してランキング表示することができる（図示せず）。有限な外字領域を有効活用するためには、使用回数の少ない外字のデータを媒体等へ退避させる必要があるが、計数機能を実装すると使用回数の少ない外字を判別することができる。各検索において外字の一覧を表示する場合に、使用回数の多い外字の表示を上部にすることで、検索性を向上させることができる。
【００３５】
さらに、図３に示すように入力画面９の検索条件設定画面１０には、外字コード、書体、部首、画数、読み、類似漢字、旧変字体又は製品名等によって絞り込みが可能な絞込検索手段を有している。例えば、後述する検索結果リスト表示欄１２ａに表示された首部検索（ちから）の一覧で絞込検索を行いたい場合は、外字コード、書体、部首、画数、読み、類似漢字、旧変字体又は製品名等のいずれかをポインティングデバイスを選択し、絞込条件設定画面１１にキーワードを入力することによって絞込検索が可能となる。また、基本検索が行われていない場合においても外字コード、書体、部首、画数、読み、類似漢字、旧変字体又は製品名等のいずれかをポインティングデバイスを選択し、絞込条件設定画面１１にキーワードを入力することによって検索が可能となる。絞込条件設定画面１１での検索機能は、前方一致及び／又は後方一致で検索及び論理和、論理積、論理否定の演算子を用いた検索が可能であることは言うまでもない。外字コード、書体、部首、画数、読み、類似漢字、旧変字体又は製品名等については、上記の説明のとおりである。
【００３６】
検索手段４は、検索条件設定手段３によって入力された検索条件データに基づき、記憶手段２に記憶された外字管理データベースから検索結果データを取得する。このとき、外字管理データベース６から検索結果データを取得するための演算処理は、スタンドアローン型コンピュータ内の中央演算処置装置（ＣＰＵ）によって行われる。
【００３７】
検索結果表示手段５は、検索手段４によって得られた検索結果データをリスト表示画面１２によって表示される。リスト表示画面１２は、図３に示すように検索条件設定画面１０及び絞込条件設定画面１１と同一画面表示、又は図４に示すようにリスト表示画面１２が単独の画面表示であっても良い。例えば、図３又は図４に示すようにリスト表示画面１２は、部首検索（ちから）で得られた検索結果リストを表示させる検索結果リスト表示欄１２ａと、検索結果リスト表示欄１２ａで表示された検索結果リストのいずれかの外字データを選択表示する外字画像データ表示欄１２ｂと、外字画像データ表示欄１２ｂに表示された属性情報を表示する属性情報表示欄１２ｃから成る。図３又は図４に示すように検索結果リスト表示欄１２ａで表示された検索結果リストの外字データをポインティングデバイスでクリックＰすることで、外字画像データ表示欄１２ｂに外字データのイメージデータが表示され、属性情報表示欄１２ｃに属性情報が表示される。外字データの属性情報は、外字コード、部首、画数、読み、書体、類似漢字、旧変字体、製品名、特殊外字、イメージデータ、記号及び備考等のいずれか又はそれらの組合せが表示される。なお、検索結果データの画面表示は、液晶ディスプレイ、ブラウン管等、限定されるものではない。
【００３８】
なお、編集作業者が検索した結果、所望の外字データが見つからない場合は、再度、検索条件設定手段によって検索条件データを入力し検索を行う。また、検索結果表示手段５に表示された検索結果データのイメージデータを選択することで所定の文書（一般的な文書作成ソフトウェアで作成された文書）に所定の外字データが入力される。このとき、図３又は図４に示した実行ボタン１８をクリックすることによって、所定の文書内（テキストデータ）において外字データが使用される個所に挿入される。
【００３９】
（外字検索システム１Ｂ）
図７は、本発明のネットワークを介して外字データを検索する外字検索システム１Ｂを示す図である。図７に示すように本発明の外字検索システム１Ｂは、ネットワークに接続された外字管理サーバ１Ｂ’及び作業端末１Ｂ”を有する。
【００４０】
図８（ａ）に外字管理サーバのブロック図を示す。図８（ａ）に示すように外字管理サーバ１Ｂ’は、検索条件受信手段１３、記憶手段２’、検索手段４’及び検索結果送信手段１４を有する。図８（ｂ）に作業端末１Ｂ”のブロック図を示す。図８（ｂ）に示すように作業端末１Ｂ”は、検索条件設定手段３’、検索条件送信手段１５、検索結果受信手段１６及び検索結果表示手段５’を有する。外字管理サーバ１Ｂ’の記憶手段２’、検索手段４’は、上記に示したスタンドアローン型外字検索システム１Ａの記憶手段２、検索手段４と同様な構成であり、作業端末１Ｂ”の検索条件設定手段３’、検索結果表示手段５’は、上記に示したスタンドアローン型外字検索システム１Ａの検索条件設定手段３、検索結果表示手段５と同様な構成であるため説明は省略する。
【００４１】
外字管理サーバ１Ｂ’の検索条件受信手段１３は、作業端末１Ｂ”から送信される検索条件データを受信する。
【００４２】
外字管理サーバ１Ｂ’の検索結果送信手段１４は、検索結果データを作業端末１Ｂ”に送信する。
【００４３】
作業端末１Ｂ”の検索条件送信手段１５は、検索条件設定手段３’によって得られた検索条件データを外字管理サーバ１Ｂ’に送信する。
【００４４】
作業端末１Ｂ”の検索結果受信手段１６は、検索条件データに基づき、外字管理サーバ１Ｂ’から得られた検索結果データを受信する。
【００４５】
なお、外字検索システム１Ａ、外字検索システム１Ｂの外字管理サーバ１Ｂ’又は作業端末１Ｂ”には、外字データ登録手段を更に備えることができる。外字データ登録手段によって外字管理データベースに外字データ登録されていない外字データを作成し登録することができる。
【００４６】
（外字検索方法１）
図９に示す外字検索方法１は、記憶手段２、検索条件設定手段３と、検索手段４及び検索結果表示手段５によって外字データを検索する。
【００４７】
図９に示す第１の工程は、編集作業者が検索条件設定手段３によって外字データを検索するための検索条件データを入力設定する。検索条件設定手段３は、外字コード（４桁）、部首、画数、読み、書体、類似漢字、旧変字体、製品名、特殊外字、イメージデータ、記号及び備考のいずれか又はそれらの組合せで検索が可能である。さらに、検索条件設定手段３は、外字コード（４桁）、部首、画数、読み、書体、類似漢字、旧変字体、製品名、特殊外字、イメージデータ、記号及び備考のいずれか又はそれらの組合せで行うことが可能な絞込検索手段を有している。外字コード（４桁）、部首、画数、読み、書体、類似漢字、旧変字体、製品名、特殊外字、記号及び備考はテキストデータであり、イメージデータは、ＧＩＦ等のイメージデータによって検索される。検索条件設定手段は、ポインティングデバイス操作で動作するようにコマンドボタン等を配置したＧＵＩの画面デザインとすることで、検索条件設定を容易に実行可能とし、併せて誤入力を防ぐ効果を有している。
【００４８】
図９に示す第２の工程は、第１の工程で入力設定された検索条件データに基づき、記憶手段２に記憶された外字管理データベース６から検索手段４によって検索結果データを取得する。外字コード（４桁）、部首、画数、読み、書体、類似漢字、旧変字体、製品名、特殊外字、記号及び備考はテキストデータであり、画像データは、ＧＩＦ等のイメージデータで保存されている。なお、外字管理データベースは、Excelファイル、Accessファイル等、特に限定されるものではない。
【００４９】
第３の工程は、第２の工程で取得した検索結果データを検索結果表示手段５で表示する。検索結果表示手段５は、検索された結果がリスト表示画面１２に表示され、リスト表示画面１２に表示された個々の外字データの外字コード（４桁）、部首、画数、読み、書体、類似漢字、旧変字体、製品名、特殊外字、イメージデータ、記号及び備考のいずれか又はそれらの組合せが表示される。さらに、検索結果表示手段５に表示された検索結果データのイメージデータを選択することで所定の文書（一般的な文書作成ソフトウェアで作成された文書）に所定の外字データが入力される。
【００５０】
以上の１乃至３の工程によって外字データを検索する方法である。
【００５１】
（外字検索方法２）
図１０に示す外字検索方法２は、検索条件受信手段１３、記憶手段２’、検索手段４’及び検索結果送信手段１４を有する外字管理サーバ１Ｂ’と、検索条件設定手段３’、検索条件送信手段１５、検索結果受信手段１６及び検索結果表示手段５’を有する作業端末１Ｂ”から成る外字検索システム１Ｂによって外字データを検索する。
【００５２】
図１０に示す第１の工程は、編集作業者が作業端末１Ｂ”に設けられた検索条件設定手段３’によって外字データを検索するための検索条件データを入力設定する。検索条件設定手段３’は、外字コード（４桁）、部首、画数、読み、書体、類似漢字、旧変字体、製品名、特殊外字、イメージデータ、記号及び備考のいずれか又はそれらの組合せで検索が可能である。さらに、検索条件設定手段３’は、外字コード（４桁）、部首、画数、読み、書体、類似漢字、旧変字体、製品名、特殊外字、イメージデータ、記号及び備考のいずれか又はそれらの組合せで行うことが可能な絞込検索手段を有している。外字コード（４桁）、部首、画数、読み、書体、類似漢字、旧変字体、製品名、特殊外字、記号及び備考はテキストデータであり、イメージデータは、ＧＩＦ等のイメージデータによって検索される。検索条件設定手段３’は、ポインティングデバイス操作で動作するようにコマンドボタン等を配置したＧＵＩの画面デザインとすることで、検索条件設定を容易に実行可能とし、併せて誤入力を防ぐ効果を有している。
【００５３】
図１０に示す第２の工程は、第１の工程で編集作業者が作業端末１Ｂ”で入力設定された検索条件データを検索条件送信手段１５によって外字管理サーバ１Ｂ’に送信する。
【００５４】
図１０に示す第３の工程は、第２の工程で作業端末１Ｂ”から送信された検索条件データを検索条件受信手段１３によって外字管理サーバ１Ｂ’が受信する。
【００５５】
図１０に示す第４の工程は、第３の工程で外字管理サーバ１Ｂ’は受信された検索条件データに基づき、記憶手段２’に記憶された外字管理データベース６’から検索手段４’によって検索結果データを取得する。外字コード（４桁）、部首、画数、読み、書体、類似漢字、旧変字体、製品名、特殊外字、記号及び備考はテキストデータであり、イメージデータは、ＧＩＦ等のイメージデータで保存されている。なお、外字管理データベースは、Excelファイル、Accessファイル等、特に限定されるものではない。
【００５６】
図１０に示す第５の工程は、第４の工程で取得した検索結果データを外字管理サーバ１Ｂ’の検索結果送信手段１４によって作業端末１Ｂ”に送信する。
【００５７】
図１０に示す第６の工程は、第５の工程で外字管理サーバ１Ｂ’から送信された検索結果データを作業端末１Ｂ”が検索結果受信手段１６によって受信する。
【００５８】
図１０に示す第７の工程は、第６の工程で作業端末１Ｂ”が受信した検索結果データを作業端末１Ｂ”の検索結果表示手段５’で表示する。検索結果表示手段５’は、検索された結果がリスト表示画面１２に表示され、リスト表示画面１２に表示された個々の外字データの外字コード（４桁）、部首、画数、読み、書体、類似漢字、旧変字体、製品名、特殊外字、イメージデータ、記号及び備考のいずれか又はそれらの組合せが表示される。さらに、検索結果表示手段５’に表示された検索結果データのイメージデータを選択することで所定の文書（一般的な文書作成ソフトウェアで作成された文書）に所定の外字データが入力される。
【００５９】
以上の１乃至７の工程のよって外字データを検索する方法である。
【符号の説明】
【００６０】
１Ａ              スタンドアローン型外字検索システム
１Ｂ              ネットワーク型外字検索システム
１Ｂ’            ネットワーク型外字検索システムの外字管理サーバ
１Ｂ”            作業端末
２、２’          記憶手段
３、３’          検索条件設定手段
４、４’          検索手段
５、５’          検索結果表示手段
６、６’          外字管理データベース
７                属性情報
８                外字データ
９                入力画面
１０              検索条件設定画面
１１              絞込条件設定画面
１２              リスト表示画面
１２ａ            検索結果リスト表示欄
１２ｂ            外字画像データ表示欄
１２ｃ            属性情報表示欄
１３              検索条件受信手段
１４              検索結果送信手段
１５              検索条件送信手段
１６              検索結果受信手段
１７              一時保存機能
１８              実行ボタン
Ｐ                  クリック
【図１】
2010165302.tif 000003
【図２】
2010165302.tif 000004
【図３】
2010165302.tif 000005
【図４】
2010165302.tif 000006
【図５】
2010165302.tif 000007
【図６】
2010165302.tif 000008
【図７】
2010165302.tif 000009
【図８】
2010165302.tif 000010
【図９】
2010165302.tif 000011
【図１０】
2010165302.tif 000012